(57)【要約】【課題】ベッド床木枠と寝床横板とヘッドボードとサイド補助バーとからなり、解体セット搬送・現地組み立てが簡単にできる堅牢型の和風座敷に調和し和ませ、ベッド床木枠内に敷布団をスッポリ敷くことができ、敷布団の横ずれ縦ずれを完全に防止し安眠をお約束し、サイド補助バーを使用者の身体に合わせて或いは好みに合わせて位置させて寝起きを助け、又掛け布団の外れなどを防止し、ヘッドボードは、多目的に活用して楽しめる介護用ベッドを提供する。【解決手段】ベッド床木枠と寝床横板とヘッドボードとサイド補助バーとからなり、ベッド枠は低く枠内に若干の段差を付けてベッド床板を横配列し、ベッド枠の両側部に所定高さにして水平補助バーを取り外し可能に竪設し、ベッド枠の枕元のヘッドボードは複数の横板で構成しその裏を一対の支持スタンドで保持し、支持スタンドはベッド枠の上横枠部に取り外し可能に竪設したことを特徴とする介護用ベッド。  【選択図】    図１
0003154388.tif 000002
【実用新案登録請求の範囲】
【請求項１】
木製で、ベッド木床枠と寝床横板とヘッドボードとサイド補助バーとからなり、ベッド枠は低く枠内に若干の段差を付けてベッド床板を配列し、ベッド枠の両側部に所定高さにして水平補助バーを取り外し可能に竪設し、ベッド枠の枕元のヘッドボードの裏を一対の支持スタンドで保持し、支持スタンドはベッド枠の上横枠部に取り外し可能に竪設したことを特徴とする介護用ベッド。
【考案の詳細な説明】
【技術分野】
【０００１】
本発明は、例えば、介護用ベッドに関するものであり、より特定的には和室にマッチし安らぎが得られる安全な介護用ベッドに関する。
【背景技術】
【０００２】
寝たきりのご老人や患者さんの場合、夜間の就寝や昼間のうたたねを安全に安心して休むことは勿論、それ以外にベッドに居乍らにしていろいろと楽しむことにより精神衛生を良好にして治癒にむけることが大切である。
現在介護用ベッドとしては、次の列記するベッドの様に、多様の目的で多種のものが市販されている。
走行式ベッド、折り畳み式ベッド、分割式ベッド、捻り作動式ベッド、シャワー入浴式ベッド、床ずれ防止マット型ベッド、横向き転動式ベッド、寝床下部への出入便器式ベッドなどなど。
しかしこれらは何れも便利ではあるが可動部が多いので安全上の付帯設備が多くなり製作が甚だ複雑で高額ものになり、容易に購入することができない。また本人による直接操作は安全上の問題からかなり制限される懸念が多い。
また可動式寝床の場合は、敷布団やマットの位置ずれ、姿崩れるため、それらの直し作業を伴い、また機能的に便利でも複雑多義な操作が多く、これに伴い操作音などが騒音化するなど、精神衛生的な安らぎを得るには程遠い。
木製で組み立て式の介護用ベッドの例として特許文献１で紹介のベッドがある。しかしこのベッドは、多数の部品を必要とする複雑高価なベッドで一般受けはしない。
【特許文献１】特開2007-289378号公報
【考案の開示】
【考案が解決しようとする課題】
【０００３】
本考案は、木製で、ベッド床木枠と寝床板とヘッドボードとサイド補助バーとからなり、解体セット搬送・現地組み立てが簡単にできる堅牢型の和風座敷に調和し和ませる介護用ベッドを提供する。
またベッド床木枠内に敷布団をスッポリ敷くことができ、敷布団の横ずれ縦ずれを完全に防止し安眠をお約束し、サイド補助バーを使用者の身体に合わせて或いは好みに合わせて位置させて寝起きを助け、又掛け布団の外れなどを防止し、ヘッドボードは、壁掛け用のカレンダー、写真、予定表、小幅棚（段違い棚等）の設置（オプシャン）鏡、メモ貼り、等などいろいろ多目的に活用して楽しめるベッドを提供する。
【課題を解決するための手段】
【０００４】
本考案は上記課題を満足するベッドでありその特徴とするところは、次の(1)のとおりである。
(1)、木製で、ベッド床木枠と寝床板とヘッドボードとサイド補助バーとからなり、ベッド枠は低く枠内に若干の段差を付けてベッド床板を配列し、ベッド枠の両側部に所定高さにして水平補助バーを取り外し可能に竪設し、ベッド枠の枕元のヘッドボードの裏を一対の支持スタンドで保持し、支持スタンドはベッド枠の上横枠部に取り外し可能に竪設したことを特徴とする介護用ベッド。
【考案の効果】
【０００５】
本考案は、木製で、ベッド床木枠と寝床板とヘッドボードとサイド補助バーとからなり、解体セット搬送・現地組み立てが簡単にできる堅牢型の和風座敷に調和し和ませる介護用ベッドである。
またベッド床木枠内に敷布団をスッポリ敷くことができ、敷布団の横ずれ縦ずれを完全に防止し安眠をお約束し、サイド補助バーを使用者の身体に合わせて或いは好みに合わせて位置させて寝起きを助け、又掛け布団の外れなどを防止し、ヘッドボードは、壁掛け用のカレンダー、写真、予定表、小幅棚（段違い棚等）の設置（オプシャン）鏡、メモ貼り、等などいろいろ多目的に活用して楽しめる介護用ベッドである。
【考案を実施するための最良の形態】
【０００６】
考案を実施するための最良の形態を以下の実施例により詳細に紹介する。
【実施例１】
【０００７】
実施例１を図１から図２に示す。図１は斜視説明図である。図２は分解説明図である。
図１から図２において、介護用ベッドＢは木製で、ベッド床木枠100とベッド寝床200とヘッドボード300とサイド補助バー400とからなる。ベッド枠100は低くし上下横枠部101,102と両側枠部103,104とで一体的に形成し、枠内に複数本の縦支持梁110とこれを支持する前後中間部の横支持梁120を組み込む。縦支持梁110は、図２には他の部材との関係で一部切欠いて表示しているが上下横枠部101,102間に亘らせてある。これ等の支持梁の上に、若干の段差を付けてベッド寝床200の横板201を横配列する。水平補助バー400は、ベッド枠100の両側の側枠部103,104に設けた挿入孔103a,104aに支持棒401を取り外し可能に挿入して所定高さに竪設する。ベッド枠100の枕元のヘッドボード300は、複数の横板301で構成しその裏を一対の支持スタンド310で保持し、支持スタンド310はベッド枠100の上横枠部101に取り外し可能に竪設してある。
【０００８】
実施例１の介護用ベッドＢはベッド床木枠100と寝床横板101とヘッドボード300とサイド補助バー400は解体セット搬送・現地組み立てが簡単にできる堅牢型であるが、和風座敷に調和し和ませる木製である。
ベッド枠100は低くして床に直接載置するもので、枠内に若干の段差を付けてベッド床板101を横配列したことにより、敷布団がスッポリ敷くことができ、横ずれ縦ずれを完全に防止し安眠をお約束する。
ベッド枠100の両側枠部103、104に所定高さにして水平補助バー400を取り外し可能に竪設したことにより、手摺に使用し寝起きを助ける。また掛け布団の外れなどを防止する。更に使用者の身体に合わせて或いは好みに合わせて位置を可変することができる。
ベッド枠100の枕元のヘッドボード300は、支持スタンド310をベッド枠100の上横枠部101に取り外し可能に竪設したことにより、堅牢構造である。表側は、壁掛け用のカレンダー、写真、予定表、小幅棚（段違い棚等）の設置（オプシャン）鏡、メモ貼り、等などいろいろ多目的に使用することができ楽しめる。裏側も同様に活用することができる。
【産業上の利用可能性】
【０００９】
本考案は、前述のように優れた効果を呈するものであり、一般家庭、老人ホーム、医療機関等で多く活用され介護ベッド産業に多大な貢献をすることができるものである。
【図面の簡単な説明】
【００１０】
【図１】本考案の実施例１を示す斜視説明図である。
【図２】本考案の実施例１の組み立て前の分解状態を示す斜視説明図である。
【符号の説明】
【００１１】
Ｂ   介護用ベッド
100  ベッド床木枠
200  寝床横板
300  ヘッドボード
400  サイド補助バー
【図１】
0003154388.tif 000003
【図２】
0003154388.tif 000004